【手続補正書】
【提出日】平成25年6月28日(2013.6.28)
【手続補正１】
【補正対象書類名】特許請求の範囲
【補正対象項目名】全文
【補正方法】変更
【補正の内容】
【特許請求の範囲】
【請求項１】
主要量の潤滑粘度の油と、少量の下記式の１種以上の化合物とを含む、ASTM D-2896に準拠して測定した場合に少なくとも６mgKOH/gのTBNを有する潤滑油組成物であって、ASTM D2896に準拠して測定した場合に少なくとも10％の組成TBNが無灰TBN源から誘導され、かつ、ASTM D2896に準拠して測定した場合に少なくとも５％の組成TBNが式Ｉの少なくとも１種の化合物から誘導される、潤滑油組成物。
【化１】
2010150549.tif 000001
（式中、Ｒ1及びＲ2は、独立にＣ3以上のアルキル、又はアリール置換基を有しない置換アルキルを表し；Ｒ'、又は各Ｒ'は、独立に水素、アルキル又はアルコキシを表し；ｎは０〜４であり；かつＸは、アルコキシ、又は置換アルコキシから選択される置換基を表し、前記置換基は負のハメットσ+値を有し、かつ≦1.5の絶対値を有する。）
【請求項２】
ASTM D-2896に準拠して測定した場合、６〜15mgKOH/gのTBNを有する、請求項１に記載の潤滑油組成物。
【請求項３】
1.1質量％以下、好ましくは1.0質量％以下、さらに好ましくは0.8質量％以下のSASH含量を有する、請求項１又は２に記載の潤滑油組成物。
【請求項４】
ASTM D2896に準拠して測定した場合、少なくとも10％、好ましくは少なくとも15％、さらに好ましくは少なくとも20％の組成TBNが、式Ｉの少なくとも１種の化合物を含む無灰TBN源から誘導される、請求項１〜３のいずれか１項に記載の潤滑油組成物。
【請求項５】
0.4質量％未満のイオウ含量、及び1200ppm以下のリンを有する、請求項１〜４のいずれか１項に記載の潤滑油組成物。
【請求項６】
Ｒ1及びＲ2がそれぞれ独立にＣ3〜Ｃ12アルキル基、好ましくは直鎖Ｃ3〜Ｃ12アルキル基である式Ｉの化合物を含む、請求項１〜５のいずれか１項に記載の潤滑油組成物。
【請求項７】
Ｒ1及びＲ2がそれぞれ独立にＣ3〜Ｃ8アルキル基、好ましくは直鎖Ｃ3〜Ｃ8アルキル基である式Ｉの化合物を含む、請求項６に記載の潤滑油組成物。
【請求項８】
Ｘが、ハメットσ+値が-0.3〜-1.0の置換基であり、Ｘが好ましくはＮＲ1Ｒ2部分に対してパラであり、さらに好ましくはアルコキシ又は置換アルコキシである式Ｉの化合物を含む、請求項１〜７のいずれか１項に記載の潤滑油組成物。
【請求項９】
請求項１〜８のいずれか１項に記載の潤滑油組成物の調製用の濃縮物であって、2.5〜30質量％の式(Ｉ)の１種以上の化合物；10〜40質量％の窒素含有分散剤；２〜20質量％のアミン系抗酸化剤、フェノール系抗酸化剤、モリブデン化合物、又はその混合物；５〜40質量％の清浄剤；及び２〜20質量％の金属ジヒドロカルビルジチホスファートを含む濃縮物。
【請求項１０】
同時にSASH含量を増やすことなく、潤滑油組成物のTBNを、ASTM D-2896に準拠して測定した場合に少なくとも５％高める方法であって、前記潤滑油組成物に、下記の化合物を添加する工程を含む方法。
【化２】
2010150549.tif 000002
（式中、Ｒ1及びＲ2は、独立にＣ3以上のアルキル、又はアリール置換基を有しない置換アルキルを表し；Ｒ'、又は各Ｒ'は、独立に水素、アルキル又はアルコキシを表し；ｎは０〜４であり；かつＸは、アルコキシ、又は置換アルコキシから選択される置換基を表し、前記置換基は負のハメットσ+値を有し、かつ≦1.5の絶対値を有する。）
【請求項１１】
式（I）の化合物の添加によって、前記潤滑油組成物のTBNを、ASTM D-4739に準拠して測定した場合に少なくとも５％高める、請求項１０に記載の方法。
【請求項１２】
潤滑油組成物のTBNを、ASTM D-4739に準拠して測定した場合に高める量で１種以上の式（I）の化合物を含む、請求項１に記載の潤滑油組成物。
【請求項１３】
潤滑油組成物のTBNを、ASTM D-4739に準拠して測定した場合に少なくとも20％高める量で１種以上の式（I）の化合物を含む、請求項１２に記載の潤滑油組成物。
【請求項１４】
主要量の潤滑粘度の油と、少量の下記式の１種以上の化合物とを含む、ASTM D-2896に準拠して測定した場合に少なくとも６mgKOH/gのTBNを有する潤滑油組成物であって、前記化合物はASTM D-4739に準拠して測定した場合に75〜300mgKOH/gのTBNを有し、かつ、ASTM D2896に準拠して測定して少なくとも10％の組成TBNが無灰TBN源から誘導され、かつ、ASTM D2896に準拠して測定して少なくとも５％の組成TBNが式Ｉの少なくとも１種の化合物から誘導される、潤滑油組成物。
【化３】
2010150549.tif 000003
（式中、Ｒ1及びＲ2は、独立にＣ3以上のアルキル、又はアリール置換基を有しない置換アルキルを表し；Ｒ'、又は各Ｒ'は、独立に水素、アルキル又はアルコキシを表し；ｎは０〜４であり；かつＸは、アルキル、アルケニル、アルコキシ、又は置換アルコキシから選択される置換基を表し、前記置換基は負のハメットσ+値を有し、かつ≦1.5の絶対値を有する。）
【請求項１５】
ASTM D-2896に準拠して測定した場合、６〜15mgKOH/gのTBNを有する、請求項１４に記載の潤滑油組成物。
【請求項１６】
1.1質量％以下、好ましくは1.0質量％以下、さらに好ましくは0.8質量％以下のSASH含量を有する、請求項１４又は１５に記載の潤滑油組成物。
【請求項１７】
Ｘが、ハメットσ+値が-0.3〜-1.0の置換基であり、Ｘが好ましくはＮＲ1Ｒ2部分に対してパラであり、さらに好ましくはアルコキシ又は置換アルコキシである式Ｉの化合物を含む、請求項１４〜１６のいずれか１項に記載の潤滑油組成物。
【請求項１８】
主要量の潤滑粘度の油と、少量の下記式の１種以上の化合物とを含む、ASTM D-2896に準拠して測定した場合に少なくとも６mgKOH/gのTBNを有する潤滑油組成物であって、前記化合物はASTM D-4739に準拠して測定した場合に少なくとも100mgKOH/gのTBNを有し、かつ、ASTM D2896に準拠して測定して少なくとも10％の組成TBNが無灰TBN源から誘導され、かつ、ASTM D2896に準拠して測定して少なくとも５％の組成TBNが式Ｉの少なくとも１種の化合物から誘導される、潤滑油組成物。
【化４】
2010150549.tif 000004
（式中、Ｒ1及びＲ2は、独立にＣ3以上のアルキル、又はアリール置換基を有しない置換アルキルを表し；Ｒ'、又は各Ｒ'は、独立に水素、アルキル又はアルコキシを表し；ｎは０〜４であり；かつＸは、アルキル、アルケニル、アルコキシ、又は置換アルコキシから選択される置換基を表し、前記置換基は負のハメットσ+値を有し、かつ≦1.5の絶対値を有する。）
【請求項１９】
ASTM D-2896に準拠して測定した場合、６〜15mgKOH/gのTBNを有する、請求項１８に記載の潤滑油組成物。
【請求項２０】
1.1質量％以下、好ましくは1.0質量％以下、さらに好ましくは0.8質量％以下のSASH含量を有する、請求項１８又は１９に記載の潤滑油組成物。
【請求項２１】
Ｘが、ハメットσ+値が-0.3〜-1.0の置換基であり、Ｘが好ましくはＮＲ1Ｒ2部分に対してパラであり、さらに好ましくはアルコキシ又は置換アルコキシである式Ｉの化合物を含む、請求項１８〜２０のいずれか１項に記載の潤滑油組成物。
【請求項２２】
主要量の潤滑粘度の油と、少量の下記式の１種以上の化合物とを含む、ASTM D-2896に準拠して測定した場合に少なくとも６mgKOH/gのTBNを有する潤滑油組成物であって、前記化合物は、空気中10℃／分の温度勾配で少なくとも200℃の熱重量分析にて決定した場合に＞99％減量を有し、かつ、ASTM D-4739に準拠して測定した場合に75〜300mgKOH/gのTBNを有し、かつ、ASTM D2896に準拠して測定して少なくとも10％の組成TBNが無灰TBN源から誘導され、かつ、ASTM D2896に準拠して測定して少なくとも５％の組成TBNが式Ｉの少なくとも１種の化合物から誘導される、潤滑油組成物。
【化５】
2010150549.tif 000005
（式中、Ｒ1及びＲ2は、独立にＣ3以上のアルキル、又はアリール置換基を有しない置換アルキルを表し；Ｒ'、又は各Ｒ'は、独立に水素、アルキル又はアルコキシを表し；ｎは０〜４であり；かつＸは、アルキル、アルケニル、アルコキシ、又は置換アルコキシから選択される置換基を表し、前記置換基は負のハメットσ+値を有し、かつ≦1.5の絶対値を有する。）
【請求項２３】
ASTM D-2896に準拠して測定した場合、６〜15mgKOH/gのTBNを有する、請求項２２に記載の潤滑油組成物。
【請求項２４】
1.1質量％以下、好ましくは1.0質量％以下、さらに好ましくは0.8質量％以下のSASH含量を有する、請求項２２又は２３に記載の潤滑油組成物。
【請求項２５】
Ｘが、ハメットσ+値が-0.3〜-1.0の置換基であり、Ｘが好ましくはＮＲ1Ｒ2部分に対してパラであり、さらに好ましくはアルコキシ又は置換アルコキシである式Ｉの化合物を含む、請求項２２〜２４のいずれか１項に記載の潤滑油組成物。
【手続補正２】
【補正対象書類名】明細書
【補正対象項目名】００４１
【補正方法】変更
【補正の内容】
【００４１】
本明細書に記載の全ての特許、論文及び他の資料の開示内容全体を参照によって本明細書に引用したものとする。本明細書及び添付の特許請求の範囲に現われる場合、複数の指定成分を含む、複数の指定成分から成る、又は本質的に複数の指定成分から成る組成物という記述は、前記複数の指定成分を混合して作られる組成物をも包含するものと解釈すべきである。前記明細書には本発明の作用の原理、好ましい実施形態及び様式について記載した。しかし、出願人らが提起するものは出願人らの発明であり、開示した実施形態は限定するものでなく、例示とみなされるので、開示した特定の実施形態に限定されるものと解釈すべきでない。当業者は、本発明の精神から逸脱することなく、変更を加えることができる。
次に、本発明の態様を示す。
１.  主要量の潤滑粘度の油と、少量の下記式の１種以上の化合物とを含む潤滑油組成物。
【化５】
2010150549.tif 000006
（式中、Ｒ1及びＲ2は、独立にアルキル、又はアリール置換基を有しない置換アルキルを表し；Ｒ'、又は各Ｒ'は、独立に水素、アルキル又はアルコキシを表し；ｎは０〜４であり；かつＸは水素、又はアルキル、アルケニル、アルコキシ、若しくは置換アルコキシから選択される置換基を表し、前記置換基は負のハメットσ+値を有し、かつ≦1.5の絶対値を有する。）
２.  ASTM D-2896に準拠して測定した場合、少なくとも６mgKOH/g、好ましくは６〜15mgKOH/gのTBNを有する、上記１に記載の潤滑油組成物。
３.  1.1質量％以下、好ましくは1.0質量％以下、さらに好ましくは0.8質量％以下のSASH含量を有する、上記１又は２に記載の潤滑油組成物。
４.  ASTM D2896に準拠して測定した場合、少なくとも10％、好ましくは少なくとも15％、さらに好ましくは少なくとも20％の組成TBNが、式Ｉの少なくとも１種の化合物を含む無灰TBN源から誘導される、上記１〜３のいずれか１項に記載の潤滑油組成物。
５.  0.4質量％未満のイオウ含量、及び1200ppm以下のリンを有する、上記１〜４のいずれか１項に記載の潤滑油組成物。
６.  Ｒ1及びＲ2がそれぞれ独立にＣ1〜Ｃ12アルキル基、好ましくは直鎖Ｃ1〜Ｃ12アルキル基である式Ｉの化合物を含む、上記１〜５のいずれか１項に記載の潤滑油組成物。
７.  Ｒ1及びＲ2がそれぞれ独立にＣ3〜Ｃ8アルキル基、好ましくは直鎖Ｃ3〜Ｃ8アルキル基である式Ｉの化合物を含む、上記６に記載の潤滑油組成物。
８.  Ｘが、ハメットσ+値が約-0.3〜約-1.0の置換基であり、Ｘが好ましくはＮＲ1Ｒ2部分に対してパラであり、さらに好ましくはアルコキシ又は置換アルコキシである式Ｉの化合物を含む、上記１〜７のいずれか１項に記載の潤滑油組成物。
９.  上記１〜８のいずれか１項に記載の潤滑油組成物の調製用の濃縮物であって、約2.5〜約30質量％の式(Ｉ)の１種以上の化合物；約10〜約40質量％の窒素含有分散剤；約２〜約20質量％のアミン系抗酸化剤、フェノール系抗酸化剤、モリブデン化合物、又はその混合物；約５〜40質量％の清浄剤；及び約２〜約20質量％の金属ジヒドロカルビルジチホスファートを含む濃縮物。
１０.  下記式の化合物。
【化６】
2010150549.tif 000007
（式中、Ｒ1及びＲ2は、独立にアルキル、又はアリール置換基を有しない置換アルキルを表し；Ｒ'、又は各Ｒ'は、独立に水素、アルキル又はアルコキシを表し；ｎは０〜４であり；かつＸは、アルキル、アルケニル、アルコキシ、又は置換アルコキシから選択される置換基を表し、前記置換基は負のハメットσ+値を有し、かつ≦1.5の絶対値を有する。）１１.  ASTM D-4739に準拠して測定した場合、75〜300mgKOH/gのTBNを有する、上記10に記載の化合物。
１２.  Ｒ1及びＲ2がそれぞれ独立にＣ1〜Ｃ12アルキル基、好ましくは直鎖Ｃ1〜Ｃ12アルキル基である、上記10又は11に記載の化合物。
１３.  Ｒ1及びＲ2がそれぞれ独立にＣ3〜Ｃ8アルキル基、好ましくは直鎖Ｃ3〜Ｃ8アルキル基である、上記10〜12のいずれか１項に記載の化合物。
１４.  ASTM D-4739に準拠して測定した場合、少なくとも約100mgKOH/gのTBNを有する、上記10〜13のいずれか１項に記載の化合物。
１５.  空気中10℃／分の温度勾配で少なくとも約200℃の熱重量分析にて決定した場合、＞99％減量を有する、上記10〜14のいずれか１項に記載の化合物。
１６.  Ｘが、ハメットσ+値が約-0.3〜約-1.0の置換基であり、Ｘが好ましくはＮＲ1Ｒ2部分に対してパラであり、さらに好ましくはアルコキシ又は置換アルコキシである、上記10〜15のいずれか１項に記載の化合物。
１７.  同時にSASH含量を増やすことなく、潤滑油組成物のTBNを高める方法であって、前記潤滑油組成物に、上記10〜16のいずれか１項に記載の１種以上の化合物を添加する工程を含む方法。